(57)【要約】【課題】冷却効率及び／又は給湯効率を向上することが出来る吸収ヒートポンプの提供。【解決手段】燃料が投入される再生器（１）と、系外から熱エネルギー（ＱＬ）を取り入れて冷媒を蒸発する蒸発器（２）と、吸収剤が冷媒を吸収する吸収器（３）と、冷媒蒸気が凝縮する凝縮器（４）と、吸収器（３）及び凝縮器（４）を冷却する冷却水ライン（Ｌｗ）とを備え、該冷却水ライン（Ｌｗ）は、凝縮器（４）を経由してから吸収器（３）を流れる様に構成されている。【選択図】図１
2007120810.tif 000002
【特許請求の範囲】
【請求項１】
再生器と、系外から熱エネルギーを取り入れて冷媒を蒸発する蒸発器と、吸収剤が冷媒を吸収する吸収器と、冷媒蒸気が凝縮する凝縮器と、吸収器及び凝縮器を冷却する冷却水ラインとを備え、該冷却水ラインは、凝縮器を経由してから吸収器を流れる様に構成されていることを特徴とする吸収ヒートポンプ。
【請求項２】
再生器で発生した冷媒蒸気から気相の吸収剤を分離する精溜器を設け、前記冷却水ラインは吸収器を経由してから精溜器を経由する様に構成されている請求項１の吸収ヒートポンプ。
【請求項３】
吸収器から再生器へ連通する吸収溶液ラインが精溜器を経由するように構成されている請求項２の吸収ヒートポンプ。
【請求項４】
前記冷却水ラインに代えて、凝縮器及び吸収器を冷却する冷却水が流れる循環系と、給湯需要に連通する給湯ラインとを設け、循環系を流れる冷却水の熱量が熱交換器を介して給湯ラインを流れる水に投入可能に構成されている請求項１〜３の何れか１項の吸収ヒートポンプ。
【発明の詳細な説明】
【技術分野】
【０００１】
本発明は、大気が保有する熱量等の未利用エネルギーを低温熱源とする吸収ヒートポンプに関する。
【背景技術】
【０００２】
従来技術に係るヒートポンプの例として、単効用増熱型ヒートポンプを図６で示す。
図６において、システム全体を符号６０で示す単効用増熱型ヒートポンプは、例えば、燃料供給ラインＬｆから都市ガスが燃料として投入される再生器１と、系外から例えば空気熱ＱＬを取り入れて冷媒を蒸発する蒸発器２と、液相の吸収剤が気相の冷媒（冷媒蒸気）を吸収する吸収器３と、冷媒蒸気が凝縮する凝縮器４とを備えている。
【０００３】
吸収器３及び凝縮器４には冷却水ラインＬｗが経由する様に配置されており、冷却水ラインＬｗを流れる冷却水によって吸収器３及び凝縮器４が冷却される様に構成されている。吸収器３と再生器１とは、循環ポンプ５が介装されている吸収溶液ラインＬ１、Ｌ２によって接続されている。ラインＬ１、Ｌ２には溶液熱交換器６が介装され、ラインＬ２の溶液の熱をラインＬ１の溶液に投与する様に構成されている。
再生器１には精溜器１１が装備されており、精溜器１１は、再生器１において吸収剤（例えば水）が気化して、冷媒蒸気（例えばアンモニア蒸気）と共に凝縮器４側に移動する恐れがある場合に、当該気相の吸収剤（例えば水蒸気）を凝縮せしめ、再生した冷媒蒸気から分離するために設けられている。それと共に、精溜器１１は、吸収溶液ラインＬ１を流れる吸収溶液を、溶液熱交換器６よりも吸収器３側の領域で加熱し、昇温する様に構成されている。
【０００４】
精溜器１１で気相の吸収剤から分離された冷媒蒸気（例えばアンモニア蒸気）は、ラインＬ３を流れて凝縮器４に至り、凝縮器４内で気化熱を奪われて凝縮して液相冷媒（例えば、１００％アンモニア）になり、この液相冷媒はラインＬ４を流れて蒸発器２に流入する。
蒸発器２内の液相冷媒は、空気熱ＱＬより気化熱を奪って蒸発器２内で蒸発し、ラインＬ５（単なる開口である場合も存在する）を介して吸収器３に戻る。
図６の例では、蒸発器２においては、大気からの熱エネルギー（空気熱）ＱＬにより液相冷媒を蒸発しているが、大気からの熱エネルギー（空気熱）ＱＬのみならず、河川の水や、下水等が保有する未利用エネルギーであっても、利用可能に構成されている。
【０００５】
吸収器３内で、冷媒蒸気は再生器１から戻った吸収溶液に吸収されて、吸収溶液中の吸収剤濃度が薄くなる。吸収剤濃度が薄くなった吸収溶液（希溶液）は、吸収器３を出て、循環ポンプ５により再生器１へ送られる。ここで、吸収器３内では、冷媒蒸気が吸収溶液に吸収される際に、吸収熱（潜熱）を発生する。
この吸収熱は、冷却水ラインＬｗを流れる冷却水に投入される。そして、冷却水ラインＬｗを流れる冷却水は、吸収器３で発生した吸収熱（潜熱）を奪って吸収器３を冷却すると共に、凝縮器４において冷媒蒸気（気相冷媒）から気化熱を奪って凝縮せしめる（液相冷媒とする）。すなわち、冷却水ラインＬｗを流れる冷却水には、吸収器３で発生した吸収熱及び凝縮器４で冷媒蒸気から奪った気化熱が投入され加熱される。その結果、冷却水ラインＬｗを流れる冷却水は、給湯需要を賄える程度まで昇温されて、湯として取り出される（給湯）。
【０００６】
ここで、図６で示す従来技術では、冷却水として使用される上水は、冷却水ラインＬｗを吸収器３から凝縮器４の順に経由して流れている。これは、臭化リチウムを吸収剤として用い、水を冷媒として使用した場合には、臭化リチウムが結晶化（晶析）することが無い様にするためである。
図７のＰＴ線図で示す様に、吸収器３の温度（点Ｐａ１〜Ｐａ２の領域における温度）が上昇すると晶析ライン（ラインＣ）に到達し、臭化リチウムが結晶化（晶析）して吸収溶液循環系統を閉塞してしまうので、吸収ヒートポンプが運転不可能となってしまう。その様な事態を防止するためには、晶析ライン（ラインＣ）に到達しない様に、吸収器３の温度を下げる必要があり、吸収器３を優先的に冷却して、図７における点Ｐａの温度を、例えば、４５℃以下に抑える必要がある。
そのため、臭化リチウムを吸収剤として、水を冷媒とする場合には、温度の低い状態の上水（冷却水）が、先ず、吸収器３に供給され、その後、凝縮器４に供給されるのである。
【０００７】
しかし、温度の高い吸収器３を昇温前の温度が低い上水で冷却し、昇温した後の上水で温度の低い凝縮器４を冷却することは、冷却効率の点からは好ましくない。
冷却水で熱を取るという目的（冷却）に鑑みれば、温度の高い吸収器３をヒートポンプで昇温される前の温度が低い上水で冷却し、昇温した後の温度が高い上水で温度の低い凝縮器４を冷却することは、エクセルギー損失が低く、冷却の効率が良いからである。
【０００８】
その他の従来技術として、例えば、大気温度が低く大気熱交換用循環水が十分に加熱されない場合に凝縮熱により大気熱交換用循環水を加熱し、大気温度が高く大気熱交換用循環水が十分に冷却されない場合に気化熱により大気熱交換用循環水を冷却する吸収ヒートポンプシステムが提案されている（特許文献１）。
しかし、係る従来技術は気温が低い場合にも確実に暖房運転を実行し、且つ、気温が高くても確実に冷房運転を実行することを目的としており、冷却効率及び／又は給湯効率の向上、という本発明の問題点に寄与するものではない。
【特許文献１】特開２００５−７７０３７号公報
【発明の開示】
【発明が解決しようとする課題】
【０００９】
本発明は上述した従来技術の問題点に鑑みて提案されたものであり、エクセルギー損失を低減して、冷却効率を向上することが出来る吸収ヒートポンプの提供を目的としている。
【課題を解決するための手段】
【００１０】
発明者は、種々研究の結果、冷媒としてアンモニアを使用して吸収剤として水を使った場合や、有機冷媒を用いた場合では、そもそも晶析の問題が発生しないことに着目した。
【００１１】
本発明の吸収ヒートポンプ１０１は、燃料が投入される再生器（１）と、系外から熱エネルギー（空気熱等の未利用エネルギーＱＬ）を取り入れて冷媒を蒸発する蒸発器（２）と、吸収剤が冷媒を吸収する吸収器（３）と、冷媒蒸気が凝縮する凝縮器（４）と、吸収器（３）及び凝縮器（４）を冷却する冷却水ライン（Ｌｗ）とを備え、該冷却水ライン（Ｌｗ）は、凝縮器（４）を経由してから吸収器（３）を流れる様に構成されていることを特徴としている（図１：請求項１）。
【００１２】
ここで、吸収剤として例えば水を選択し、冷媒として例えばアンモニアを選択することが可能である。
ただし、これに限定されるものではなく、例えば、有機媒体（フッ化アルコール）を選択することも可能である。
換言すれば、本発明においては、吸収器の温度レベルが上昇した場合に晶析する恐れが無い様な冷媒と吸収剤の組み合わせが選択される。
【００１３】
本発明において、再生器（１）で発生した冷媒蒸気（例えば、アンモニア蒸気）から気相の吸収剤（例えば、水蒸気）を分離する精溜器（１１）を設け、前記冷却水ライン（Ｌｗ）は吸収器（３）を経由してから精溜器（１１）を経由する様に構成されているのが好ましい（図２：請求項２）。
【００１４】
そして、吸収器（３）から再生器（１）へ連通する吸収溶液ライン（Ｌ１）が精溜器（１１）を経由するように構成されているのが好ましい（図４：請求項３）。
ここで、精溜器（１１）内部においては、吸収溶液ライン（Ｌ１）よりも前記冷却水ライン（Ｌｗ）の方が、再生器（１）に近い位置、或いは再生器（１）の熱量が投入され易い位置に配置されているのが好ましい（図４）。
【００１５】
本発明において、前記冷却水ライン（Ｌｗ）に代えて、凝縮器（４）及び吸収器（３）を冷却する冷却水が流れる循環系（ＣＬ１）と、（上水が供給されて）給湯需要に連通する給湯ライン（ＣＬ２）とを設け、循環系（ＣＬ１）を流れる冷却水の熱量が熱交換器（第１の熱交換器Ｈ１及び第２の熱交換器Ｈ２）を介して給湯ライン（ＣＬ２）を流れる水に投入可能に構成されているのが好ましい（図５：請求項４）。
そして、前記熱交換器は２個設けられており（第１の熱交換器Ｈ１及び第２の熱交換器Ｈ２）、第１の熱交換器Ｈ１は循環系（ＣＬ１）における凝縮器（４）の上流側（上水供給源側）に設けられ、第２の熱交換器Ｈ２は循環系（ＣＬ１）における吸収器（３）の下流側（給湯需要側）に設けられているのが好ましい（図５）。
【００１６】
本発明において、単効用の吸収ヒートポンプに限定されるものではなく、二重効用の吸収ヒートポンプとして構成することも可能である。
【発明の効果】
【００１７】
上述する構成を具備する本発明によれば、冷却水は凝縮器（４）から吸収器（３）の順に流れる（請求項１）ので、温度の低い凝縮器（４）をヒートポンプで加熱される以前（昇温前の温度が低い状態）の上水で冷却し、凝縮器（４）で加熱されて昇温した上水で温度の高い吸収器（３）を冷却する。すなわち、温度の低い上水で温度の低い凝縮器（４）を冷却し、温度の高い上水で温度の高い吸収器（３）を冷却する。そのため、温度の高い吸収器（３）を昇温前の温度が低い上水で冷却し、昇温した後の上水で温度の低い凝縮器（４）を冷却するよりも、エクセルギー損失が減少し、冷却効率が向上する。
そして、凝縮器（４）及び吸収器（３）を冷却して昇温された冷却水は給湯需要に供給されるので、冷却効率が向上する結果として、給湯効率も向上する。
【００１８】
また、凝縮器圧力を低下させて濃度幅を増加させることが出来るので、吸収ヒートポンプサイクルを高性能化させることが出来る。そして、凝縮圧力を下げたまま、高温給湯が可能となる。
また、凝縮器圧力を下げることが出来るのに起因して、溶液ポンプ（５）の揚程（昇圧幅）を下げ、補機電力を低減することができる。
【００１９】
また、本発明において、精溜器（１１）を設け、前記冷却水ライン（Ｌｗ）が凝縮器（４）及び吸収器（３）を経由してから精溜器（１１）を経由する様に構成すれば（請求項２）、精溜器（１１）内部の熱量を冷却水ライン（Ｌｗ）内を流れる冷却水（上水、給湯需要に供給される湯）に投入して、冷却水（上水、給湯需要に供給される湯）を昇温して、給湯取り出し温度を上昇させることが出来る。
【００２０】
この場合、吸収器（３）から再生器（１）へ連通する吸収溶液ライン（Ｌ１）が精溜器（１１）を経由するように構成されていれば（請求項３）、冷却水（上水、給湯需要に供給される湯）を昇温して給湯取り出し温度を上昇させることが出来ると共に、再生器（１）へ供給される吸収溶液を加熱或いは予熱して、再生器（１）で消費される高質燃料（例えば、都市ガス）を節約することが出来る。
【００２１】
本発明において、凝縮器（４）及び吸収器（３）を冷却する冷却水が流れる循環系（ＣＬ１）と、（上水が供給されて）給湯需要に連通する給湯ライン（ＣＬ２）とを設け、循環系（ＣＬ１）を流れる冷却水の熱量が熱交換器（第１の熱交換器Ｈ１及び第２の熱交換器Ｈ２）を介して給湯ライン（ＣＬ２）を流れる水に投入可能に構成すれば（請求項４）、凝縮器（４）及び吸収器（３）を冷却する冷却水は循環系（ＣＬ１）外を流れることが無く、その保有する熱量を、給湯ライン（ＣＬ２）を流れる上水に投入することが出来る。
そのため、給湯ライン（ＣＬ２）を流れる上水は、直接、凝縮器（４）や吸収器（３）を経由しない。従って、給湯需要に供給される湯が、直接、凝縮器（４）や吸収器（３）を冷却することを嫌うユーザーが存在しても、係るユーザーの抵抗を無くすることが出来る。
【発明を実施するための最良の形態】
【００２２】
以下、添付図面を参照して、本発明の実施形態について説明する。
先ず、図１のブロック図に基づいて第１実施形態を説明する。
システム全体を符号１０１で示す吸収ヒートポンプは、例えば、燃料ガス供給ラインＬｆによって都市ガスが燃料として投入される再生器１と、系外から例えば空気熱ＱＬを取り入れて冷媒を蒸発する蒸発器２と、液相の吸収剤（水）（より詳細には、液相吸収剤と冷媒との混合物であって、吸収剤の濃度が高い液体）が冷媒（アンモニア）を吸収する吸収器３と、冷媒蒸気が凝縮する凝縮器４とを備えている。
【００２３】
吸収器３及び凝縮器４は、冷却水ラインＬｗを流れる冷却水によって冷却される様に構成されている。冷却水ラインＬｗは図示しない上水道に連通しており、冷却水ラインＬｗ内を流れる上水（冷却水；水道水）は、凝縮器４、吸収器３の順に流過し、この間に加熱、昇温されて給湯に供される。
【００２４】
吸収器３と再生器１とは、循環ポンプ５の介装された吸収溶液ラインＬ１、Ｌ２によって接続され、そのラインＬ１、Ｌ２には溶液熱交換器６が介装されている。その溶液熱交換器６ではラインＬ２の溶液の熱をラインＬ１の溶液に投与する様に構成されている。
再生器１には、精溜器１１が装備されており、水蒸気（気相の吸収剤）の気化熱を奪うことにより、冷媒（アンモニア）蒸気から水蒸気（気相の吸収剤）を分離する。それと共に、ラインＬ１の溶液熱交換器６よりも吸収器３側の領域で、吸収器３から再生器１に向う吸収溶液を加熱（予熱）して、吸収溶液を昇温する様に構成されている。
【００２５】
再生器１で発生した冷媒蒸気（アンモニア蒸気）はラインＬ３を通って凝縮器４に流入し、凝縮器４内で凝縮して液相冷媒（１００％アンモニア液）となる。この液相冷媒はラインＬ４を介して蒸発器２に流入する。
蒸発器２内において、液相冷媒は、系外から空気熱ＱＬにより蒸発して気相冷媒（冷媒蒸気）となる。蒸発した冷媒蒸気はラインＬ５を介して吸収器３に流入する。なお、ラインＬ５は、説明の便宜のため、図中では管路状に表現したが、実機においては、単なる開口部として構成されている場合がある。
【００２６】
吸収器３内では、冷媒蒸気が再生器１から戻った吸収溶液（吸収剤の濃度が高い吸収溶液）に吸収されて、吸収熱を発生する。そして、冷媒を吸収した吸収溶液は、吸収剤の濃度が薄まった状態で吸収器３を出る。そして、循環ポンプ５で再生器１に送られる。
【００２７】
第１実施形態の吸収ヒートポンプ１０１の蒸発器２においても、大気からの熱エネルギー（空気熱）ＱＬ、或いは、河川、下水などの未利用エネルギー（図示せず）を汲み上げる様に構成されている。
【００２８】
上述した通り、給湯で得られる熱量ＱＭは、  ＱＭ＝ＱＨ＋ＱＬ  で与えられる。
ラインＬｗを流れる冷却水は、蒸発器２及び吸収器３の両方から熱が供給されるので、効率（給湯の熱量／都市ガス等の強制的に負荷した熱量）が１を越えるのである。
【００２９】
図１の第１実施形態では、冷却水である上水（又は戻り水）が、先ず凝縮器４を冷却し、凝縮器４を経由した後に吸収器３を冷却するように構成されている。
冷却水で熱を除去する（冷却する）という目的であれば、温度の低い凝縮器４をヒートポンプで加熱される以前の状態（昇温前の温度が低い状態）の上水で冷却し、凝縮器４で加熱されて昇温した上水で温度の高い吸収器３を冷却する方が（温度の高い吸収器３を昇温前の温度が低い上水で冷却し、昇温した後の上水で温度の低い凝縮器４を冷却するよりも）、エクセルギー効率が低減するので、冷却の効率が良い。
【００３０】
また、例えば、吸収剤として水、冷媒にアンモニアを用いる場合には、そもそも晶析の問題は生じない。従って、吸収剤として臭化リチウムを用いた場合の様に、吸収器３の温度が高くなった場合に晶析が生じてしまうことを考慮する必要が無い。
そのため、図１の第１実施形態では、温度が低い上水で凝縮器４を冷却し、温度が高い上水で高温の吸収器３（吸収熱が発生するので高温）を冷却する様に構成している。
【００３１】
図２では、吸収剤が水で冷媒がアンモニアの場合における単効用サイクルを、ＰＴ線図上で表現している。
冷却水である上水は、図２において符号ＣＷで示す様に、凝縮器（Ｐｂ点；例えば５０℃）から吸収器（Ｐａ１〜Ｐａ２の間の点；例えば９０℃）へ流れる。
【００３２】
なお、臭化リチウムを吸収剤として用い、水を冷媒として使用した場合には、図７で示す様に、圧力レベルが低く、濃度幅（点Ｐａ１〜点Ｐａ２の長さ）が大きく取れず、ラインＡの上下方向（圧力軸方向）の幅が広くなる（温度軸方向の幅が狭く、圧力軸方向の幅が広くなる）。そして、圧力軸方向の幅が広くなる結果として、凝縮器の温度（点Ｐｂの温度）を吸収器の温度（点Ｐａ２の温度）よりも高温になってしまうことが有り得る。
【００３３】
しかし、図２のように、吸収剤が水で冷媒がアンモニアの場合は、圧力レベルが高い（例えば、ΔＰが２０気圧）ので、図７の場合（冷媒が水で吸収剤が臭化リチウムの場合）の様に凝縮器の温度が吸収器の温度よりも高温になってしまうことはない。
また、吸収剤が水で冷媒がアンモニアの場合（図２）は、そもそも晶析ラインが無いので、濃度幅を広くすることが出来る。例えば、吸収器３の温度を９０℃程度にすることが可能である。
すなわち、吸収剤が水で冷媒がアンモニアの場合には、吸収器３の温度は凝縮器４の温度よりも必ず高くなるのである。
【００３４】
第１実施形態では、冷却水である上水を凝縮器４から吸収器３の順番に流し、温度が低い上水で温度が低い凝縮器４を冷却し、温度が高い上水で高温の吸収器（吸収熱が発生して高温）３を冷却することにより、エクセルギー損失を減少して、冷却効率が向上している。
【００３５】
そして、温度が低い上水で凝縮器４を冷却しているため凝縮器４の圧力を低下して、濃度幅を増加することが出来る。その結果、吸収ヒートポンプのサイクルを高性能化させることが出来る。そして、凝縮圧力を下げたまま、高温給湯が可能となる。
また、凝縮器圧力を下げることが出来るのに起因して、溶液ポンプ５の揚程（昇圧幅）を下げることにより、補機電力を低減できる。
【００３６】
次に、図３に基づいて第２実施形態の吸収ヒートポンプ１０２を説明する。
再生器１に装備された精溜器１１は、再生器１の真上に配置されているので温度レベルが高い。そこで、冷却水（上水）ラインＬｗが精溜器１１を経由することにより、ヒートポンプの給湯取出し温度（冷却水温度）をより高くし、給湯効率をさらに向上させたのが、図３の第２実施形態である。
【００３７】
図３において、冷却水（上水）ラインＬｗは、凝縮器４、吸収器３を経由した後、精溜器１１を経由し、図示しない給湯需要に連通している。
その他の構成及び作用効果については、図１の第１実施形態と同様である。
【００３８】
第２実施形態においては、精溜器１１内部の熱を給湯の昇温に用いているので、第１実施形態に比べて、更に高い給湯温度が得られる。
【００３９】
次に、図４に基づいて第３実施形態の吸収ヒートポンプ１０３を説明する。
図３の第２実施形態では、精溜器１１において、冷却水ラインＬｗを流れる冷却水のみを加熱している。
これに対して、図４の第３実施形態では、冷却水ラインを流れる冷却水Ｌｗは図３と同様に精溜器１１内部の熱交換器Ｈｗで加熱されるが、それに加えて、吸収器３から再生器１に向かう吸収溶液（ラインＬ１を流れる吸収溶液）が、精溜器１１内部の熱交換器Ｈａで加熱される。
すなわち、精溜器１１内部の熱量で、給湯ライン（冷却水ライン；Ｌｗ）と、吸収溶液ラインＬ１の双方を加熱する。
【００４０】
その様に、再生器１に投入される以前の段階の吸収溶液を加熱（予熱）することにより、再生器１における高質燃料（都市ガス等）の使用量が節約できる。従って、吸収ヒートポンプ１０３の全体の効率が向上する。
【００４１】
ここで、精溜器１１内部では、冷却水ラインＬｗを流れる冷却水を加熱する熱交換器Ｈｗの方が、吸収溶液ラインＬ１の吸収溶液を加熱する熱交換器Ｈａよりも、再生器１で発生した熱が伝達し易い側（再生器１に近い領域：図４では下方の領域）に配置されている。吸収溶液の予熱よりも、給湯取り出し温度の昇温を優先する趣旨である。
【００４２】
次に、図５に基づいて第４実施形態の吸収ヒートポンプ１０４を説明する。
図１の第１実施形態〜図４の第３実施形態では、冷却水ラインＬｗを流れる冷却水がそのまま給湯として使用されている。
しかし、冷媒（例えばアンモニア）を冷却した冷却水を、そのまま給湯として使用することに抵抗を感じるユーザーが存在する恐れがある。
【００４３】
係るユーザーの心理的な抵抗に鑑みて、図５の第４実施形態では、凝縮器４及び吸収器３を冷却する冷却水が流れ、循環ポンプ５１を介装した循環系ＣＬ１と、上水が供給されて給湯需要として用いられる給湯ラインＣＬ２とを、完全に分離して構成している。
循環系ＣＬ１は、図５では反時計回りに冷媒が流れ、凝縮器４の上流側に第１の熱交換器Ｈ１が、吸収器３の下流側に第２の熱交換器Ｈ２が介装されている。
給湯ラインＣＬ２は、図示しない上水道に連通しており、第１の熱交換器Ｈ１を経由した後に、第２の熱交換器Ｈ２を経由する様に構成されている。
【００４４】
循環系ＣＬ１の冷媒（例えば水）は、循環水ポンプ５１により循環されるが、循環系外には流出しない。
上水に連通している給湯ラインＣＬ２は、第１の熱交換器Ｈ１及び第２の熱交換器Ｈ２を介して、循環系ＣＬ１を循環する冷却水が保有する熱量が投入されて、加熱、昇温される。そして、給湯需要に対して供給される。
【００４５】
給湯需要に対して供給される給湯ラインＣＬ２を流れる上水（湯）は、直接、凝縮器４や吸収器３を経由しないので、直接凝縮器４や吸収器３を冷却せず、冷媒であるアンモニア等と接触することも無いので、上述したようなユーザーの抵抗感を無くすることが出来る。
【００４６】
図５において、前述したように、第１の熱交換器Ｈ１は、凝縮器４の上流側（上水供給源側）に設けている。循環系ＣＬ１を流れる冷却水は、第１の熱交換器Ｈ１を介して保有する熱量を給湯ラインＣＬ２を流れる上水に投入した直後は、温度が低い。その様な低温の冷却水（循環系ＣＬ１を流れる冷却水）を凝縮器４に供給すれば、冷媒の凝縮効率を向上する。
第２の熱交換器Ｈ２は、前述したように、吸収器３の下流側（給湯需要側）に設けられている。循環系ＣＬ１を流れる冷却水は、吸収器３を冷却した直後にその温度が最も高温となる。従って、その様な（最も高温の）冷却水が保有する熱量が第２の熱交換Ｈ２を介して投入されることにより、給湯ラインＣＬ２を流れる上水は効率的に昇温されるのである。
【００４７】
図示の実施形態はあくまでも例示であり、本発明の技術的範囲を限定する趣旨の記述ではない旨を付記する。
例えば、図１〜図５の実施形態を任意に組み合わせることが可能である。
また、図示の実施形態では、吸収剤として水を、冷媒としてアンモニアを用いた場合について説明しているが、晶析を起こさないような吸収剤と冷媒であれば、水とアンモニアとの組み合わせに限定されるものではない。それに伴い、吸収剤と冷媒として水とアンモニアを使用しなければ、精溜器１１を省略することが出来る。
【図面の簡単な説明】
【００４８】
【図１】本発明の第１実施形態の全体構成を示したブロック図。
【図２】第１実施形態に係り、水を吸収剤にして、アンモニアを冷媒とした吸収ヒートポンプサイクルを説明するＰＴ線図。
【図３】本発明の第２実施形態の全体構成を示したブロック図。
【図４】本発明の第３実施形態の全体構成を示したブロック図。
【図５】本発明の第４実施形態の全体構成を示したブロック図。
【図６】従来技術の吸収ヒートポンプの全体構成を示したブロック図。
【図７】臭化リチウム溶液を吸収剤にして、水を冷媒とした吸収ヒートポンプサイクルを説明するＰＴ線図。
【符号の説明】
【００４９】
１・・・再生器
２・・・蒸発器
３・・・吸収器
４・・・凝縮器
５、５１・・・循環ポンプ
６・・・溶液熱交換器
１１・・・精溜器
Ｌ１・・・吸収溶液往きライン
Ｌ２・・・吸収溶液戻りライン
Ｌｆ・・・燃料ガス供給ライン
Ｌｗ・・・冷却水ライン
ＣＬ１・・・循環系
ＣＬ２・・・給湯ライン
【図１】
2007120810.tif 000003
【図２】
2007120810.tif 000004
【図３】
2007120810.tif 000005
【図４】
2007120810.tif 000006
【図５】
2007120810.tif 000007
【図６】
2007120810.tif 000008
【図７】
2007120810.tif 000009